(57)【要約】      （修正有）【課題】これまでの大型旅館、ホテル、及び日帰り入浴施設内に設けられている既存浴槽施設において、個人専用で入浴できる居場所を確保する浴槽内湯溜まり装置を提供する。【解決手段】入浴施設内に設けられている浴槽施設において、個人専用で入浴できる居場所を確保するための、浴槽内湯溜り装置であって、肘掛け可能な巾を有した、コの字型の腰壁２によって構成されており、コの字型の一辺は、開放状態となっている。腰壁上板３は、厚さ３ｃｍの天然石で被われる。更に腰壁部に座板を取付け、背面腰壁部から付け枕を無くした形態は、半身浴用の浴槽内湯溜り装置となる。【選択図】図１
0003182314.tif 000002
【実用新案登録請求の範囲】
【請求項１】
表面が天然石で被われたコの字型の腰壁で、左右側面は移動用の把手金物が取付けられた肘掛け部を有し、しかも背面奥壁は傾斜面であることを特徴とする、浴槽内湯溜り装置。
【請求項２】
請求項１記載の形態に、更に腰壁の左右肘掛け部先端側に、背面側に湾曲して形成された棒状のステンレス鋼管の先端に、  ステンレス鋼の球体手摺を取付けたことを特徴とする、浴槽内湯溜り装置。
【請求項３】
請求項１又は請求項２記載の形態に、更にその腰壁の腰壁背面中央部に、薄い六面体天然石の左右中央のコの字型腰壁の開放側の隅に、球面状の凹部を設けた、置き枕を取付けたことを特徴とする、浴槽内湯溜り装置。
【請求項４】
請求項１、請求項２、又は請求項３記載の形態に、更に腰壁部に半身浴用のためのステンレスパネルに天然石を貼った座板を取付けたことを特徴とする、浴槽内湯溜り装置。
【請求項５】
請求項１、請求項２、請求項３、又は請求項４記載の形態に、更に左右側壁の天然石を円弧状に延長し、同様に背面腰壁の奥壁を上部へ延長して形成される、目隠し壁形態を特徴とする、浴槽内湯溜り装置。
【考案の詳細な説明】
【技術分野】
【０００１】  本考案は、これまでの入浴施設内に設けられている浴槽設備内に、新たに入浴者専用の居場所を確保させ、更に入浴者に対する精神的癒し効果を高めるための、浴槽内湯溜り装置に関するものである。
【背景技術】
【０００２】  これまでの大型旅館、ホテル、及び日帰り入浴施設内に設けられている既存浴槽施設は、その大多数が多人数による同時使用を前提として造られている。そのためそのような浴槽設備内には、個人で専用できる入浴場所がない。既存の浴槽形態には、個人専用の湯溜り装置が設けられていない。そのため多くの入浴者は、外部側に取付けられている開口部に対し、背中を向けた姿勢で入浴している。確かにこれまで、本考案に類する形態の入浴装置が提案されている。しかしその何れもが、その主目的が健康器具を前提として製作されている。もちろんそれ等の入浴装置は、入浴者の個人専用を主目的とした湯溜り装置ではない。
【先行技術文献】
【特許文献】
【０００３】
【特許文献１】特開２００１−２８６５２８号公報
【特許文献２】特開２００４−２４３８８号公報
【特許文献３】特開２００４−３２９５５３号公報
【考案の概要】
【考案が解決しようとする課題】
【０００４】  そこで本考案は、これまでの大型旅館、ホテル、及び日帰り入浴施設内に設けられている既存浴槽施設において、個人専用で居場所を確保できる入浴装置を設置することにより、前述の解決を図るものである。
【課題を解決するための手段】
【０００５】  請求項１は表面が天然石で被われたコの字型の腰壁で、左右側面は肘掛け部を有し、背面奥壁は傾斜面であることを特徴とする、浴槽内湯溜り装置。
請求項２は請求項１記載の形態に、更に腰壁の左右肘掛け部先端側に、背面側に湾曲して形成された棒状のステンレス鋼管の先端に、  ステンレス鋼の球体手摺を取付けたことを特徴とする、浴槽内湯溜り装置。
請求項３は請求項１又は請求項２記載の形態に、更にその腰壁の腰壁背面中央部に、薄い六面体天然石の左右中央のコの字型腰壁の開放側の隅に、球面状の凹部を設けた、置き枕を取付けたことを特徴とする、浴槽内湯溜り装置。
請求項４は請求項１、請求項２、又は請求項３記載の形態に、更に腰壁部に半身浴用のためのステンレスパネルに天然石を貼った座板を取付けたことを特徴とする、浴槽内湯溜り装置。
請求項５は請求項１、請求項２、請求項３、又は請求項４記載の形態に、更に左右側壁の天然石を円弧状に延長し、同様に背面腰壁の奥壁を上部へ延長して形成される、目隠し壁形態を特徴とする、浴槽内湯溜り装置。
【考案の効果】
【０００６】  そこで本考案の浴槽内湯溜り装置は、成人男性二人によって持ち運びが可能な荷重で製作可能である。そのため装置の運搬及び設置に関しても、運搬用重機も必要なく、人力だけで希望する浴槽内の任意な場所への設置が可能となる。しかも装置の設置の際も、現場においての据え付け作業も必要なく、そのためその後の状況の変化による、新たな場所への移動も容易である。そして浴槽内湯溜り装置の設置により入浴者は、浴槽内での独占感覚を味わえ、しかも入浴による尚一層の精神的癒し効果を高めることができる。更に目隠し壁形態のある湯溜り装置において入浴者は、より他の入浴者の視線を気にすることなく、入浴時の独占感覚を味わえることができ、又より一層の精神的癒し効果を高めることができる。しかも入浴者は目隠し壁があることにより、浴槽内に持ち込んだ入浴用タオルの掛け物として、この壁を利用することができ、そのためタオルを湯面浸すことなく、入浴が可能となる。また更に腰壁に座板を取付けた場合の形態とする湯溜り装置は、入浴者の半身浴を可能とさせる。
【図面の簡単な説明】
【０００７】
【図１】本考案による浴槽内湯溜り装置の基本的実施例の斜視図である。
【図２】上記の実施例に、更に手摺を加えた斜視図である。
【図３】基本的実施例に、更に置き枕を加えた斜視図である。
【図４】上記の実施例に、更に手摺を加えた斜視図である。
【図５】同平面概略図である。
【図６】同正面概略図である。
【図７】同側面概略図である。
【図８】同背面概略図である。
【図９】同ＸＸ方向切欠断面概略図である。
【図１０】同ＹＹ方向切欠断面概略図である。
【図１１】基本的実施例に、更に座板を加えた斜視図である。
【図１２】上記の実施例に、更に手摺を加えた斜視図である。
【図１３】同ＸＸ方向切欠断面概略図である。
【図１４】同ＹＹ方向切欠断面概略図である。
【図１５】基本的実施例に、更にコの字型目隠し壁を加えた斜視図である。
【図１６】上記の実施例に、更に手摺を加えた斜視図である。
【図１７】基本的実施例に、更にコの字型目隠し壁と置き枕を加えた斜視図である。
【図１８】上記の実施例に、更に手摺を加えた斜視図である。
【図１９】同平面概略図である。
【図２０】同正面概略図である。
【図２１】同側面概略図である。
【図２２】同背面概略図である。
【図２３】基本的実施例に、更に座板の取付け高さ分をかさ上げしたコの字型目隠し壁と、座板を加えた斜視図である。
【図２４】上記の実施例に、更に手摺を加えた斜視図である。
【図２５】同平面概略図である。
【図２６】同ＸＸ方向切欠断面概略図である。
【図２７】同ＹＹ方向切欠断面概略図である。
【考案を実施するための形態】
【０００８】  本考案の浴槽内湯溜り装置は、これまでの旅館、ホテル、及び日帰り入浴施設内の既存浴槽設備に設置することを前提とする。そのため湯溜り装置には、移動用の把手金物が取付けられ、そしてその高さは、既存浴槽の深さより、若干高い形状とする。
【０００９】  三方の腰壁で囲われた湯溜り装置の左右肘掛け部先端には、入浴者の溺れ防止、あるいは入浴者による浴槽内からの立ち上がり行為補助のための、ステンレス鋼製の球体手摺金物を取付ける。
【００１０】  また湯溜り装置の背面腰壁中央部には、入浴者の後頭部を支えるための天然石の置き枕を取付ける。
【００１１】  また湯溜り装置の肘掛け部と、背面を被う表面の天然石を上部へ立ち上げたコの字型の形態は、そのまま目隠し壁となり、同時に入浴用タオル掛けとする。
【００１２】また湯溜り装置の腰壁には、半身浴のための厚さ３ｃｍのステンレス製パネルに、厚さ３ｃｍの天然石を貼付けた座板を取付ける。
【実施例】  以下添付図面に従って、いくつかの実施例を説明する。【００１３】  図１における湯溜り装置は、その本体主要部である腰壁２によって構成される。【００１４】  湯溜り装置の平面形状は、図５のような矩形のコの字型の腰壁を基本形とする。そのためコの字型の一辺は、図１の内部１のように開放する。そして腰壁上板３は、厚さ３ｃｍの天然石で被う。但しその平面形状は矩形に限定することなく、円形や楕円形の形状のものも使用可能とする。【００１５】肘掛け部上板の先端には、入浴者の溺れ防止あるいは入浴者による浴槽内からの立ち上がり行為補助のための図２のような手摺金物６、及び腰壁背面の上板中央には、図３のような天然石の置き枕７を取付ける。そして図１の形態に、更に手摺金物６と置き枕７を取付けると、その形態は図４となる。【００１６】  図６における湯溜り装置の腰壁左右肘掛け部前板４は、厚さ３ｃｍ程の天然石で被う。【００１７】  図７における湯溜り装置の左右腰壁部２の表面は、厚さ１、５ｃｍ程の天然石で被い、左右腰壁部下面には装置据え付け安定のためのゴム製緩衝材５を取付ける。【００１８】  図８における湯溜り装置の背面腰壁２の表面は、左右腰壁と同様に厚さ１、５ｃｍ程の天然石で被う。但しその下面部は、内部２に湯水を滞らせないため、ゴム製緩衝材は取付けないで開放しておく。【００１９】  図９及び図１０における湯溜り装置の腰壁２は、湯水からの腐食を防止するため、その本体をステンレス鋼板で構成し、そしてその左右腰壁の断面形状は箱型に、背面腰壁の断面形状は背もたれ機能をもたせた台形型に組み立てる。その結果腰壁本体の内部には、湯水が入らない構造とする。また腰壁２の表面には専用接着剤により、厚さ１、５ｃｍ程の天然石を貼る。【００２０】  図１１における湯溜り装置は、図１の湯溜り装置の腰壁部に、新たにステンレス鋼板による厚さ３ｃｍの箱板の上面に、厚さ３ｃｍ程の天然石を貼った、半身浴のための座板８を取付けた形態である。但しこの形態では、入浴者の座わる高さが浴槽床面よりも高くなるため、腰壁背面の置き枕７は取り付けないものとする。【００２１】そして図１１の形態に手摺金物６を取付けると、図１２の形態となる。【００２２】  図１３及び図１４における湯溜り装置の腰壁２は、図９及び図１０と同様に厚さ１、５ｃｍ程の天然石で被う。座板はステンレス鋼板による厚さ３ｃｍの箱板の上面に、厚さ３ｃｍ程の天然石を貼ったものである。【００２３】  図１５における湯溜り装置は、図１による腰壁部表面天然石が、コの字型の目隠し壁として、そのまま上部へと立ち上がった形態である。この目隠し壁の形態は、周囲からの視線防止効果を高めることになる。【００２４】そして図１５の形態に手摺金物６を取付けると、図１６の形態となる。【００２５】そして図１５の形態に置き枕７を取付けると、図１７の形態となる。【００２６】そして図１５の形態に手摺金物６と置き枕７を取付けると、図１８の形態となる。【００２７】  図１９における湯溜り装置は、図５の形状から目隠し壁が立ち上げた平面形態である。【００２８】  図２０から図２２における湯溜り装置は、図６から図８の形状を基に、左右及び背面に目隠し壁を立ち上げた形態である。しかも入浴者の頭部保護のために目隠し壁の中央部は、左右よりもＲ状に高くする。【００２９】そして図２３における湯溜り装置は、図１２の形態による腰壁部表面天然石がコの字型の目隠し壁として、そのまま上部へ半円状に５０ｃｍ立ち上がった形態である。この目隠し壁の形態は、座板８に座った状態でも、周囲からの視線防止効果を高めることになる。【００３０】そして図２３の形態に手摺６を取付けると、その形態は図２４となる。
但しその場合は入浴者の座わる高さが既存浴槽床面よりも高くなるため、腰壁背面の置き枕７は取り付けない。【００３１】  図２５における湯溜り装置は図１９の平面形状に、座板８とコの字型の目隠し壁を取付けた形態である。【００３２】  図２６及び図２７における湯溜り装置は、図１３及び図１４の断面形状に、左右及び背面の目隠し壁を、腰壁より高さ５０ｃｍ立ち上げた形態である。【００３３】  以上、本考案の実施の形態について説明したが、本考案の主旨の範囲内で種々の形態を実施することが可能である。例えば腰壁の高さ及びその表面材の種類、背もたれの表面材の種類及びその勾配、目隠し壁の形状及びその高さ、手摺の有無と高さ、座板表面材の種類及びその高さ等については、現在知られている種々の手法を採用できることは、当然である。
【産業上の利用可能性】
【００３４】  本考案の浴槽内湯溜り装置は、多くの旅館、ホテル、及び日帰り入浴施設内の既存浴槽設備内において容易に設置可能であり、また多くの入浴者に利用者にされると考える。
【符号の説明】
【００３５】  １  内部
２  腰壁
３  腰壁上板
４  腰壁前板
５  緩衝材
６  把手金物
７  手摺
８  置き枕
９  座板
１０コの字型目隠し壁
【図１】
0003182314.tif 000003
【図２】
0003182314.tif 000004
【図３】
0003182314.tif 000005
【図４】
0003182314.tif 000006
【図５】
0003182314.tif 000007
【図６】
0003182314.tif 000008
【図７】
0003182314.tif 000009
【図８】
0003182314.tif 000010
【図９】
0003182314.tif 000011
【図１０】
0003182314.tif 000012
【図１１】
0003182314.tif 000013
【図１２】
0003182314.tif 000014
【図１３】
0003182314.tif 000015
【図１４】
0003182314.tif 000016
【図１５】
0003182314.tif 000017
【図１６】
0003182314.tif 000018
【図１７】
0003182314.tif 000019
【図１８】
0003182314.tif 000020
【図１９】
0003182314.tif 000021
【図２０】
0003182314.tif 000022
【図２１】
0003182314.tif 000023
【図２２】
0003182314.tif 000024
【図２３】
0003182314.tif 000025
【図２４】
0003182314.tif 000026
【図２５】
0003182314.tif 000027
【図２６】
0003182314.tif 000028
【図２７】
0003182314.tif 000029